(57)【特許請求の範囲】
【請求項１】
被塗物を処理槽内の処理液に浸漬させて処理液中を進行移動させることで被塗物に所定の処理を施す塗装用浸漬処理装置であって、
被塗物を保持する搬送機と、その搬送機を移動させることで被塗物を処理槽内の処理液中において進行移動させる搬送機移動手段とを設け、
前記搬送機が保持する被塗物をその搬送機に対して移動動作させる被塗物動作手段を前記搬送機に装備し、
前記被塗物動作手段を制御して被塗物を前記搬送機に対し移動動作させることで、被塗物の前記処理液中での移動姿勢を調整し、この移動姿勢の調整により、前記処理槽内における被塗物周りの処理液の通過断面積を調整して被塗物に対する処理液の相対速度を調整する浸漬処理制御手段を設け、
この浸漬処理制御手段は、最適な前記相対速度を得ることができる設定最適移動姿勢に被塗物の前記処理液中での移動姿勢を調整する構成にし、
被塗物の前記処理液中における複数種の移動姿勢について、被塗物を前記処理液中において各移動姿勢で進行移動させたときの被塗物に対する処理液の相対速度の大小関係を自動的に演算する演算手段を設けてある塗装用浸漬処理装置。
【請求項２】
前記浸漬処理制御手段は、前記搬送機が保持する被塗物の種別の情報に基づいて、被塗物の前記処理液中での移動姿勢を被塗物種ごとの設定最適移動姿勢に調整する構成にしてある請求項１記載の塗装用浸漬処理装置。
【請求項３】
前記浸漬処理制御手段は、前記搬送機移動手段を制御することで、被塗物の前記処理液中における進行移動速度を設定最適移動速度に調整する構成にしてある請求項１又は２記載の塗装用浸漬処理装置。
【請求項４】
前記演算手段又は前記浸漬処理制御手段は、最適な前記相対速度を得ることができる最適移動姿勢を前記演算手段の演算結果に基づいて自動的に選定する構成にしてある請求項１〜３のいずれか１項に記載の塗装用浸漬処理装置。
【請求項５】
前記演算手段又は前記浸漬処理制御手段は、自動選定した前記最適移動姿勢を設定最適移動姿勢として自動的に設定する構成にしてある請求項４記載の塗装用浸漬処理装置。
【発明の詳細な説明】
【技術分野】
【０００１】
本発明は、被塗物を処理槽内における脱脂処理液や電着塗料液などの各種処理液に浸漬させて処理液中を進行移動させることで被塗物に所定の処理を施す塗装用の浸漬処理装置に関する。
【背景技術】
【０００２】
従来、この種の浸漬処理では、自動車ボディなどの被塗物を一定の移動速度で移動させるオーバーヘッドコンベアの延設経路を、処理槽における入槽側部分において前下がり傾斜経路にし、続いて、処理槽における中間部分において水平直線経路にし、さらに続いて、処理槽における出槽側部分において前上がり傾斜経路にし、これにより、被塗物を前下がり傾斜の移動姿勢で処理槽内の処理液中に浸漬（入液）させ、続いて、被塗物を水平な移動姿勢で処理液中を直線的に進行移動させ、その後、被塗物を前上がり傾斜の移動姿勢で処理液から引き上げる（出液）ようにしていた（特許文献１参照）。
【０００３】
即ち、従来の塗装用浸漬処理では、被塗物を単にその移動経路に沿う移動姿勢に保って移動させていた。
【先行技術文献】
【特許文献】
【０００４】
【特許文献１】特開平１１−９２９９８号公報
【発明の概要】
【発明が解決しようとする課題】
【０００５】
しかし、上記した従来の浸漬処理では、処理品質（最終的には塗装品質）の向上などを目的として、被塗物の移動速度の設定や処理槽における処理液の流動速度の設定などにより、被塗物に対する処理液の相対速度（即ち、処理液中を進行移動させる被塗物と処理液との相対的な速度差）を大きく確保しようとしても、被塗物の移動速度を大きくする場合には、被塗物搬送に要する動力が増大するとともに、前後の工程において被塗物を搬送するコンベアとは独立させた専用の増速コンベアが必要になるなどの問題が生じる。
【０００６】
また、処理槽における処理液の流動速度を大きくする場合には、処理液の槽内流動に要するポンプ動力などが増大するとともに、処理槽に付帯する配管系も大型化するなどの問題が生じる。
【０００７】
この実情に鑑み本発明の主たる課題は、合理的な移動形態を採ることで、上記の如き問題を回避しながら、被塗物に対する処理液の相対速度を高めて処理品質の向上を可能にする点にある。
【課題を解決するための手段】
【０００８】
本発明の第１特徴構成は塗装用浸漬処理装置に係り、その特徴は、
被塗物を保持する搬送機と、その搬送機を移動させることで被塗物を処理槽内の処理液中において進行移動させる搬送機移動手段とを設け、
前記搬送機が保持する被塗物をその搬送機に対して移動動作させる被塗物動作手段を前記搬送機に装備し、
前記被塗物動作手段を制御して被塗物を前記搬送機に対し移動動作させることで、被塗物の前記処理液中での移動姿勢を調整し、この移動姿勢の調整により、前記処理槽内における被塗物周りの処理液の通過断面積を調整して被塗物に対する処理液の相対速度を調整する浸漬処理制御手段を設け、
この浸漬処理制御手段は、最適な前記相対速度を得ることができる設定最適移動姿勢に被塗物の前記処理液中での移動姿勢を調整する構成にし、
被塗物の前記処理液中における複数種の移動姿勢について、被塗物を前記処理液中において各移動姿勢で進行移動させたときの被塗物に対する処理液の相対速度の大小関係を自動的に演算する演算手段を設けてある点にある。
【０００９】
つまり、自動車ボディを被塗物とする場合を例に挙げれば、自動車ボディを従前の如く移動経路に沿う移動姿勢で処理液中を進行移動させるのに比べ、自動車ボディを移動経路に対して傾斜ないし直交する移動姿勢で処理液中を進行移動させる方が、処理槽内における自動車ボディ周りの処理液の通過断面積を小さくする（逆言すれば、処理液に対する自動車ボディの対向面積を大きくする）ことができ、その分、自動車ボディ周りでの自動車ボディに対する処理液の相対速度を高めることができる。
【００１０】
即ち、一般に被塗物は多様な形状を有するものも多いため、被塗物の形状等に応じて処理液中における被塗物の移動姿勢を調整すれば、処理槽内における被塗物周りの処理液の通過断面積を調整することができ、この通過断面積の調整により被塗物周りでの被塗物に対する処理液の相対速度を調整することがきる。
【００１１】
したがって、上記第１特徴構成によれば、塗装物の処理液中での移動姿勢を調整して被塗物に対する処理液の相対速度を調整する浸漬処理制御手段を設けることから、従来の塗装用浸漬処理で生じた先述の如き問題、即ち、被塗物搬送動力の増大や処理槽専用の増速コンベアの装備あるいはポンプ動力の増大や付帯配管系の大型化などを回避しながら、被塗物に対する処理液の相対速度を増大側に調整することができ、ひいては、このように相対速度を高め得ることで、被塗物表面への異物付着を効果的に防止する、あるいはまた、被塗物の表面近傍から気泡や発生熱を効果的に排除するなどのことが可能になって、この種の浸漬処理における被塗物の処理品質（塗装品質）を効果的に向上させることができる。
【００１２】
なお、処理液中における被塗物の移動姿勢を選定するには、実験や演算あるいは浸漬処理装置の試験運転やシミュレート手段による浸漬処理のシミュレートなどに基づいて最適な移動姿勢を選定するようにすればよい。
【００１３】
また、処理槽は、処理液を被塗物の進行方向とは逆向きに流動させる槽に限られるものではなく、処理液を処理槽内で循環流動（対流）させる槽、あるいは、処理液を滞留状態で貯留する槽など、どのような形式の槽であってもよい。
【００１４】
また、上記第１特徴構成では、浸漬処理制御手段が塗装物の処理液中での移動姿勢を設定最適移動姿勢に調整することから、次も作用効果を奏する。
【００１５】
つまり、前述の如く被塗物の移動姿勢の調整により被塗物に対する処理液の相対速度を調整することにおいて、最適な相対速度を得ることができる最適な移動姿勢を適宜選定し、その選定した最適移動姿勢を上記の設定最適移動姿勢として浸漬処理制御手段に設定しておけば、搬送機が保持する被塗物を浸漬処理制御手段による被塗物動作手段の制御により選定最適移動姿勢に自動調整して被塗物に対する処理液の相対速度を最適化した状態で搬送機移動手段による搬送機の移動により処理液中を進行移動させることができる。
【００１６】
従って、上述した浸漬処理における処理品質向上の効果を一層確実かつ容易に得ることができる。
【００１７】
なお、この構成の実施において、搬送機、搬送機移動手段、被塗物動作手段の夫々は、どのような形式及び構造のものであってもよく、また、被塗物動作手段は、搬送機に対する被塗物の移動動作により被塗物の処理液中における移動姿勢を調整するのに、被塗物を搬送機に対してどのような動作形態（回動や傾動など）で移動動作させるものであってもよい。
【００１８】
さらに、上記第１特徴構成では、
被塗物の前記処理液中における複数種の移動姿勢について、被塗物を前記処理液中において各移動姿勢で進行移動させたときの被塗物に対する処理液の相対速度の大小関係を自動的に演算する演算手段を設けるから、次の作用効果も奏する。
【００１９】
つまり、被塗物に対する処理液の相対速度を最適化し得る被塗物の最適移動姿勢を上記演算手段の演算結果に基づいて容易に選定することができる。
【００２０】
そして、このように選定した最適移動姿勢を浸漬処理制御手段に設定最適移動姿勢として設定することで、前述の如く、搬送機が保持する被塗物を浸漬処理制御手段による被塗物動作手段の制御により選定最適移動姿勢に自動調整して被塗物に対する処理液の相対速度を最適化した状態で搬送機移動手段による搬送機の移動により処理液中を進行移動させることができる。
【００２１】
なお、この構成の実施において、上記演算手段の演算結果に基づき最適移動姿勢を自動的に選定する機能や、自動選定した最適移動姿勢を設定最適移動姿勢として浸漬処理制御手段に対し自動的に設定する機能を演算手段や浸漬処理制御手段に備えさせるようにすれば、浸漬処理の運転管理を一層容易にすることができる。
【００２２】
本発明の第２特徴構成は、第１特徴構成の実施に好適な実施形態を特定するものであり、その特徴は、
前記浸漬処理制御手段は、前記搬送機が保持する被塗物の種別の情報に基づいて、被塗物の前記処理液中での移動姿勢を被塗物種ごとの設定最適移動姿勢に調整する構成にしてある点にある。
【００２３】
つまり、この構成によれば、各種別の被塗物をその被塗物種に応じた被塗物種ごとの設定最適移動姿勢に調整するから、例えば、多品種少量生産などのために種別の異なる被塗物を混在させた状態で、それら被塗物を浸漬式処理装置で順次に処理する場合などでも、それら種別の異なりにかかわらず、被塗物に対する処理液の相対速度を確実に最適化した状態で、それら被塗物を処理液中において進行移動させることができ、この点で、一層優れた塗装用浸漬処理装置にすることができる。
【００２４】
なお、この構成の実施において、被塗物の種別情報の取得については、搬送機に被塗物を保持させる段階ないしその近傍段階で被塗物形状の検出や各被塗物に付けたタグの読み取りなどにより得る方式、あるいは、生産管理装置から生産計画情報の一部として得る方式など、種々の方式を採用することができる。
【００２５】
本発明の第３特徴構成は、第１又は第２特徴構成のいずれかの実施に好適な実施形態を特定するものであり、その特徴は、
前記浸漬処理制御手段は、前記搬送機移動手段を制御することで、被塗物の前記処理液中における進行移動速度を設定最適移動速度に調整する構成にしてある点にある。
【００２６】
つまり、この構成によれば、前述の如く被塗物の移動姿勢の調整により被塗物に対する処理液の相対速度を調整することに加え、被塗物の処理液中における進行移動速度も種々に処理条件等に応じて適宜設定した設定最適移動速度に自動調整することができ、これにより、処理品質面で一層優れた塗装用浸漬処理装置にすることができる。
【００２７】
なお、この構成の実施においては、搬送機が保持する被塗物の種別の情報に基づいて、被塗物の処理液中における進行移動速度を被塗物種ごとの設定最適移動速度に自動調整するようにしてもよい。
【００２８】
また、被塗物の移動速度調整が可能な搬送機移動手段については、自走速度の調整が可能な種々の構造の自走手段を搬送機移動手段として搬送機に装備する方式、あるいは、搬送機送り速度の調整が可能な種々の構造の搬送機送り出し手段を搬送機移動手段として搬送機の移動経路に沿って並置する方式など、種々の方式や構造の搬送機移動手段を採用することができる。
本発明の第４特徴構成は、第１〜第３特徴構成のいずれかの実施に好適な実施形態を特定するものであり、その特徴は、
前記演算手段又は前記浸漬処理制御手段は、最適な前記相対速度を得ることができる最適移動姿勢を前記演算手段の演算結果に基づいて自動的に選定する構成にしてある点にある。
この構成によれば、浸漬処理の運転管理を一層容易にすることができる。
本発明の第５特徴構成は、第４特徴構成の実施に好適な実施形態を特定するものであり、その特徴は、
前記演算手段又は前記浸漬処理制御手段は、自動選定した前記最適移動姿勢を設定最適移動姿勢として自動的に設定する構成にしてある点にある。
この構成によれば、浸漬処理の運転管理を一層容易にすることができる。
【図面の簡単な説明】
【００２９】
【図１】塗装システム（特に前処理工程部）の全体構成図
【図２】塗装システム（特に塗装工程部）の全体構成図
【図３】搬送機の正面部
【図４】搬送機の斜視図
【図５】搬送機の拡大正面図
【図６】搬送機の要部の拡大側面図
【図７】浸漬式処理部での処理形態を示す側面図
【図８】集中吹付式処理部での処理形態を示す側面図
【図９】同じく集中吹付式処理部での処理形態を示す側面図
【図１０】他の吹付式処理部での処理形態を示す側面図
【発明を実施するための形態】
【００３０】
図１及び図２は自動車ボディの電着塗装設備に係る塗装システムを示し、この電着塗装設備では、前処理工程部における複数の処理部として、湯洗部１、予備脱脂部２、脱脂処理部３、第１脱脂水洗部４、第２脱脂水洗部５、表面調整部６、化成処理部７、第１化成水洗部８、第２化成水洗部９、前処理純水水洗部１０を、その順に被塗物である自動車ボディＷの搬送方向に並べて装備してある。
【００３１】
また、この前処理工程部に続く塗装工程部における複数の処理部として、電着処理部１１、第１ＵＦ水洗部１２、第２ＵＦ水洗部１３、第３ＵＦ水洗部１４、第１ＲＯ水洗部１５、第２ＲＯ水洗部１６、電着純水水洗部１７、エアブロー部１８を、その順に自動車ボディＷ（以下、ボディと略称することがある）の搬送方向に並べて装備してある。
【００３２】
各処理部のうち、前処理工程部における脱脂処理部３と化成処理部７並びに塗装工程部における電着処理部１１と第２ＵＦ水洗部１３と第１ＲＯ水洗部１５は、主なる処理形態として処理槽Ｔ内の処理液Ｌに搬送ボディＷを浸漬させる浸漬式の処理部であり、脱脂処理部３や化成処理部７では、搬送ボディＷを脱脂槽Ｔ内の脱脂処理液Ｌや化成槽Ｔ内の化成処理液Ｌに浸漬させることで搬送ボディＷの表面に脱脂処理や化成処理を施す。
【００３３】
また、電着処理部１１では、搬送ボディＷを電着槽Ｔ内の電着塗料液Ｌに浸漬させることで搬送ボディＷの表面に塗膜を形成する電着処理を施し、第２ＵＦ水洗部１３や第１ＲＯ水洗部１５では、搬送ボディＷを水洗槽Ｔ内の洗浄水Ｌに浸漬させることで電着処理後の搬送ボディＷに水洗処理を施す。
【００３４】
なお、各ＵＦ水洗部１２〜１４は、限外ろ過膜（ＵＦ）による浄化水Ｌを用いて搬送ボディＷを水洗する水洗部であり、各ＲＯ水洗部１５，１６は、逆浸透膜（ＲＯ）による浄化水Ｌを用いて搬送ボディＷを水洗する水洗部である。
【００３５】
一方、これらの浸漬式処理部以外の処理部は、主なる処理形態としてノズルなどの噴出手段Ｎによる噴出流体Ｆ（噴出液や噴出気体）を搬送ボディＷに吹き付ける吹付式の処理部であり、湯洗部１、予備脱脂部２、表面処理部６では、噴出流体Ｆとして湯洗用温水や予備脱脂用の処理液あるいは表面調整用の処理液を搬送ボディＷに吹き付けることで搬送ボディＷに湯洗処理や予備脱脂処理あるいは表面調整処理を施す。
【００３６】
また、吹付式の各水洗部では、噴出流体Ｆとして洗浄水を搬送ボディＷに吹き付けることで搬送ボディＷに水洗処理を施し、エアブロー部１８では、噴出流体Ｆとして空気を搬送ボディＷに吹き付けることで水洗処理後の搬送ボディＷに水切り処理や予乾燥処理を施す。
【００３７】
なお、塗装工程部にはエアブロー部１８に続き、予熱炉、焼付け乾燥炉、冷却処理部などをその順に搬送ボディＷの搬送方向に並べて装備し、また、この塗装工程部（下塗り工程部）に続いては中塗り工程部及び上塗り工程部が装備されているが、本例では、これらの説明は省略する。
【００３８】
被塗物である自動車ボディＷを各処理部１〜１８に対して順次に搬送する搬送装置Ｕは、図３〜図６に示す如く、ガイド架構２０上に各処理部１〜１８にわたる一対のレール２１を敷設するとともに、このレール２１に沿って各処理部１〜１８に順次移動させる複数の搬送機２２を設けて構成してあり、これら搬送機２２に搬送ボディＷを一台ずつ保持させた状態で各搬送機２２を各処理部１〜１８にわたらせて順次に移動させることで、各自動車ボディＷを各処理部１〜１８に順次搬送する。
【００３９】
搬送機２２には、レール２１上を転動する走行車輪２３と、レール２１に対し両側から当接して搬送機２２を振れ止めする振止車輪２４と、レール２１の下面に当接して搬送機２２の浮き上がりを防止する浮止車輪２５とを設けるとともに、一方のレール２１の側面にレール２１に沿わせて延設した給電レール２６から搭載装置の駆動電力を受電する集電器２７を設けてある。
【００４０】
また、搬送機２２の下部には走行用摩擦板２８を設け、レール２１に沿う搬送機２２の移動経路上には、走行用摩擦板２８を挟圧する遊転ローラ２９と駆動ローラ３０との挟圧ローラ対、及び、その挟圧ローラ対における駆動ローラ３０を駆動回転させる移送用モータ３１を搬送機送り出し手段として所定間隔でレール延設方向に並置してあり、これら遊転ローラ２９と駆動ローラ３０との挟圧ローラ対により挟圧した摩擦板２８を移送用モータ３１による駆動ローラ３０の駆動回転により挟圧ローラ対２９，３０による挟圧部から送り出すことで搬送機２２をレール２１に沿って走行移動させる。
【００４１】
つまり、搬送機送り出し手段を構成する挟圧ローラ対２９，３０と移送用モータ３１との組の並置群は、各搬送機２２を各処理部１〜１８にわたらせて順次に移動させる搬送機移動手段を構成し、各移送用モータ３１の回転速度をインバータ制御等により調整することで、各移動位置にある各搬送機２２の移動速度（即ち、送り速度）を随時、個別に調整することができる。
【００４２】
また、搬送機２２には、昇降アーム３２Ａと駆動アーム３２Ｂとを備える昇降装置３２を搭載してあり、昇降アーム３２Ａの先端部には搬送ボディＷを吊り下げ保持する吊下機構３３を装備してある。
【００４３】
昇降装置３２は、駆動アーム３２Ｂの基端を連結固定した第１支持軸３４を搬送機２２上の固定軸受３５により回転自在に支持し、一方、ガイド３６により案内される前後方向（搬送機２２の移動方向）に移動自在な移動架台３７を搬送機２２に設けて、この移動架台３７に設けた移動軸受３８により第２支持軸３９を回転自在に支持し、この第２支持軸３９に昇降アーム３２Ａの基端を回転自在に連結するとともに、その昇降アーム３２Ａの中央部に駆動アーム３２Ｂの先端を枢支連結してある。
【００４４】
また、スライダ４０をネジ軸４１の駆動回転により前後移動させる昇降用駆動装置４２を搬送機２２に設け、この昇降用駆動装置４２のスライダ４０と第１支持軸３４に連結固定した操作アーム４３とを連結ロッド４４により連結してある。
【００４５】
即ち、この昇降装置３２は、駆動モータＭａによるネジ軸４１の駆動回転により昇降用駆動装置４２のスライダ４０を前後移動させて連結ロッド４４を介し第１支持軸３４の操作アーム４３を揺動操作することで、第１支持軸３４を回転させて駆動アーム３２Ｂを駆動揺動させ、この駆動アーム３２Ｂの揺動により移動架台３７，移動軸受３８、及び、第２支持軸３９の前後移動（換言すれば、第１支持軸３４に対する第２支持軸３９の接近離間）を伴う形態で昇降アーム３２Ａを第２支持軸３９周りにおいて揺動させることで、吊下機構３３により保持した搬送ボディＷを搬送機２２に対して昇降させる構造にしてある。
【００４６】
４５は連結ロッド４４を介して第１支持軸３４の操作アーム４３を自動車ボディＷの上昇操作側に付勢する空気圧シリンダであり、この付勢により昇降用モータである駆動モータＭａの負荷を軽減する。
【００４７】
吊下機構３３は、昇降アーム３２Ａの先端に吊下支持軸４６を回転自在に取り付けて、この吊下支持軸４６に連結した吊下部材４７を上部フレーム４８の長手方向中央部に連結するとともに、上部フレーム４８の前後両端部夫々に縦フレーム４９の上端を枢支連結し、そして、各縦フレーム４９の下端から搬送機２２とは反対側に横フレーム５０を延設して、これら前後の横フレーム５０に対し２本の下部フレーム５１夫々の前後端部を回転自在に連結して構成してあり、この構造をもって搬送ボディＷを横フレーム５０と下部フレーム５１とからなるフレーム枠に載置した状態で、そのフレーム枠における四隅部の保持具５２により搬送ボディＷを保持する。
【００４８】
そして、上部フレーム４８と前後の縦フレーム４９と下部フレーム５１とで平行リンク機構を構成し、これに対し、吊下支持軸４６に取り付けた従動スプロケット５３と第２支持軸３９に取り付けた駆動スプロケット５４とに伝動チェーン５５を巻回するとともに、スライダ５６をネジ軸５７の駆動回転により前後移動させる姿勢変更用駆動装置５８を搬送機２２上に設け、この姿勢変更用駆動装置５８のスライダ５６と第２支持軸３９に連結固定した操作アーム５９とを連結ロッド６０により連結してボディ姿勢変更装置６１を構成してある。
【００４９】
即ち、このボディ姿勢変更装置６１は、駆動モータＭｂによるネジ軸５７の駆動回転により姿勢変更用駆動装置５８のスライダ５６を前後移動させて連結ロッド６０を介し第２支持軸３９の操作アーム５９を揺動操作することで、第２支持軸３９を回転させて駆動スプロケット５４を駆動回転させ、この駆動スプロケット５４の回転により伝動チェーン５５を介し従動スプロケット５３とともに吊下支持軸４６を回転させて吊下部材４７を揺動させることで、上部フレーム４８と前後の縦フレーム４９と下部フレーム５１とからなる平行リンク機構の変形を伴い上部フレーム４８及び下部フレーム５１を姿勢変化させて、保持具５２により保持した搬送ボディＷを搬送機２２に対して前下がり傾斜姿勢や後下がり傾斜姿勢に姿勢変化させる構造にしてある。
【００５０】
つまり、これら昇降装置３２及びボディ姿勢変更装置６１は、搬送機２２により搬送する自動車ボディＷをその搬送機２２に対して移動動作（昇降及び傾動）させるボディ動作手段を構成する。
【００５１】
一方、この電着塗装システムには、各処理部１〜１８にわたらせて順次に移動させる複数の搬送機２２を制御上で統括する統括制御器ＣＣ（統括制御手段の一例）を設けてあり、この統括制御器ＣＣは、位置検出手段Ｉｓにより得る搬送機２２夫々の移動位置の情報ｉと、ボディ種検出手段Ｂｓにより得る各搬送機２２に載置保持された自動車ボディＷ夫々のボディ種の情報ｂとに基づき、レール２１の延設方向に並置した各移送用モータ３１と各搬送機２２に装備した昇降装置３２及びボディ姿勢変更装置６１とを制御することで、搬送機２２の移動による自動車ボディＷの搬送において、その搬送ボディＷを処理部ごと及びボディ種ごとに設定されている合成移動パターンＰ（即ち、搬送機２２の移動と搬送ボディＷの搬送機２２に対する移動動作との合成によりなる移動パターン）で移動動作させるものにしてある。
【００５２】
なお、この合成移動パターンＰは、後述の如く、搬送機２２が保持する搬送ボディＷの移動経路ｒと移動速度ｖと移動姿勢θとについての移動パターンＰ（ｒ，ｖ，θ）としてある。
【００５３】
また、本例において特に断りのない限り、搬送ボディＷの移動速度ｖとは搬送経路ｒに沿う方向の移動速度を言い、搬送ボディＷの移動姿勢θとは水平に対する移動姿勢を言う。
【００５４】
各移送用モータ３１の制御については、レール２１の延設方向に並置した移送用モータ３１夫々の回転速度（即ち、搬送機送り速度）をインバータ制御等により調整する走行用の中継制御器Ｃａを設け、この走行用の中継制御器Ｃａを統括制御器ＣＣからの制御指令により制御動作させることで、移送用モータ３１夫々の回転速度を随時調整して各移動位置にある各搬送機２２の移動速度を、処理部ごと及びボディ種ごとの設定合成移動パターンＰに従って個別に調整する構成にしてある。
【００５５】
また、各搬送機２２に装備した昇降装置３２及びボディ姿勢変更装置６１の制御については、昇降装置３２におけるネジ軸４２の駆動モータＭａ及びボディ姿勢変更装置６１におけるネジ軸５７の駆動モータＭｂを制御するボディ動作用の中継制御器Ｃｂ（中継制御手段の一例）を各搬送機２２に搭載し、これら各搬送機２２に搭載したボディ動作用の中継制御器Ｃｂの夫々を統括制御器ＣＣから制御指令により制御動作させることで、各搬送機２２の搬送ボディＷを処理部ごと及びボディ種ごとの設定合成移動パターンＰに従って各搬送機２２に対し移動動作させる構成にしてある。
【００５６】
以上の構成により、各処理部１〜１８では搬送ボディＷを処理部ごと及びボディ種ごとの設定合成移動パターンＰで移動動作させて搬送ボディＷに所定の処理を施すが、それについて次に説明する。
【００５７】
・浸漬式処理部（特に電着処理部１１）での移動動作について
浸漬式処理部については、処理部ごと及びボディ種ごとの設定合成移動パターンＰとして、具体的には（図７参照）、
搬送機２２が保持する搬送ボディＷを下降させて処理槽Ｔ内の処理液Ｌに浸漬させる入槽工程と、それに続き、その搬送ボディＷを処理槽Ｔ内の処理液Ｌ中で進行移動させる槽内進行工程と、それに続き、その搬送ボディＷを上昇させて処理槽Ｔ内の処理液Ｌから引き上げる出槽工程と、それに続き、その搬送ボディＷを浸漬式処理部から搬出する搬出工程との各工程の工程中及び工程間における搬送ボディＷの移動経路ｒと移動速度ｖと移動姿勢θとについて、
ボディ種ごとの移動経路変化パターンＰｒ（ｒ）と移動速度変化パターンＰｖ（ｖ）と移動姿勢変化パターンＰθ（θ）とを統括制御器ＣＣに設定してある（即ち、Ｐ（ｒ，ｖ，θ）＝Ｐｒ（ｒ）＋Ｐｖ（ｖ）＋Ｐθ（θ））。
【００５８】
そして、これら３つの変化パターンＰｒ，Ｐｖ，Ｐθの設定により、図７に示す如く、浸漬式処理部では基本的に例えば次のａ．〜ｄ．の如き移動形態（即ち、ボディ種ごとの個別移動形態の基礎となる基本移動形態）で各搬送機２２の搬送ボディＷを移動動作させる。
【００５９】
ａ．入槽工程において各搬送機２２が保持する搬送ボディＷを急角度の前下がり移動経路ｒ及びその前下がり移動経路ｒに沿う急角度の前下がり移動姿勢θで、かつ、大きな移動速度ｖで処理槽Ｔに入槽させて処理槽Ｔ内の処理液Ｌに浸漬させる。
【００６０】
ｂ．出槽工程において各搬送機２２が保持する搬送ボディＷを急角度の前上がり移動経路ｒ及びその前上がり移動経路ｒに沿う急角度の前上がり移動姿勢θで、かつ、大きな移動速度ｖで処理槽Ｔ内の処理液Ｌから引き上げて処理槽Ｔから出槽させる。
【００６１】
即ち、このような入出槽移動形態を採ることで、搬送ボディＷの処理液Ｌへの浸漬（入液）及び処理液Ｌからの引き出しを速やかにして処理槽Ｔの短尺化を可能にし、また、入槽工程で搬送ボディＷを処理液Ｌに入液させる際の入液速度の不足が原因となる処理ムラ（例えば、電着処理でのいわゆる段付き）が生じるのを防止する。
【００６２】
ｃ．槽内進行工程において各搬送機２２が保持する搬送ボディＷを水平移動経路ｒで、かつ、処理液Ｌによる搬送ボディＷへの処理を良好に行なえる適当な移動速度ｖで液中進行させる。
【００６３】
ｄ．搬出工程において各搬送機２２が保持する搬送ボディＷを水平移動経路ｒで、かつ、傾斜移動姿勢θで搬出移動させ、搬送ボディＷの袋構造部等に残存する処理液Ｌの排出を促す。
【００６４】
また、これらの基本移動形態を採りながら個別的には各搬送機２２が保持する搬送ボディＷのボディ種に応じたボディ種ごとの移動形態（略言すれば、上記の基本移動形態をボディ種に応じて微調整した移動形態）として、例えば次のｅ．〜ｉ．の如き移動形態で各搬送機２２の搬送ボディＷを移動動作させる。
【００６５】
ｅ．各搬送機２２が保持する搬送ボディＷを処理液Ｌに浸漬させる入液時に生じる浮力が搬送ボディＷのボディ種によって異なることに対し、また、入液時におけるボディ局部への気泡の噛む込みの程度や箇所がボディ種によって異なることに対し、入槽工程における前下がり移動経路ｒや前下がり移動姿勢θを上記の如き浮力発生や気泡の噛み込みが抑止されるボディ種ごとの最適傾斜角度の前下がり移動経路ｒや最適傾斜角度の前下がり移動姿勢θにした状態で搬送ボディＷを処理槽Ｔ内の処理液Ｌに入液させる。
【００６６】
ｆ．上記浮力発生の主な原因部位が搬送ボディＷのボディ種によって異なることに対し、入槽工程のうち搬送ボディＷにおける浮力発生の主な原因部位が処理液Ｌへの入液過程にある期間だけ移動速度ｖ（即ち、入液速度）を小さくし、入槽工程における他の期間については移動速度ｖを大きくするボディ種ごとの最適な移動速度変化形態で搬送ボディＷを処理槽Ｔに入槽させる。
【００６７】
即ち、このようなボディ種に応じたボディ種ごとの入槽移動形態を採ることで、搬送機２２が保持する搬送ボディＷが処理液Ｌへの入液の際に生じる大きな浮力のために搬送機２２から離脱するなどの搬送トラブルや、ボディ局部に噛み込んだ気泡に原因する処理不良などを防止する。
【００６８】
ｇ．搬送ボディＷを処理槽Ｔ内の処理液Ｌに浸漬させた状態で進行移動させることにおいて、搬送ボディＷの移動姿勢θを調整すれば、処理槽Ｔ内における搬送ボディＷ周りの処理液Ｌの通過断面積を調整することができ、この通過断面積の調整により搬送ボディＷに対する処理液Ｌの相対速度を調整することができる。
このことから、槽内進行工程では搬送ボディＷをそれに対する処理液Ｌの相対速度を最適化し得るボディ種ごとの最適移動姿勢θ（例えば、最適傾斜角度の前下がり移動姿勢θや最適傾斜角度の前上がり移動姿勢θ、また場合によっては垂直移動姿勢）で液中進行させる。
【００６９】
即ち、このことにより、処理品質の低下原因となる搬送ボディＷへの異物付着や搬送ボディＷの近傍における気泡や発生熱の滞留などを防止する。
【００７０】
ｈ．出槽工程において搬送ボディＷを処理液Ｌから引き上げる際、搬送ボディＷにおける袋構造部等からの処理液Ｌの抜け出しの良否がボディ種によって異なることに対し、出槽工程における前上がり移動経路ｒや前上がり移動姿勢θを処理液Ｌの抜け出しが良くなるボディ種ごとの最適傾斜角度の前上がり移動経路ｒや最適傾斜角度の前上がり移動姿勢θにした状態で搬送ボディＷを処理槽Ｔから出槽させる。
【００７１】
ｉ．搬出工程において搬送ボディＷを傾斜移動姿勢θで搬出移動させる際、搬送ボディＷにおける袋構造部等からの残存処理液Ｌの排出の良否がボディ種によって異なることに対し、搬出工程において搬送ボディＷを傾斜移動姿勢θにする傾動動作として、搬送ボディＷをボディ種ごとの最適傾斜角度の後下がり移動姿勢θにする、又は、最適傾斜角度の前下がり移動姿勢θにする、又は、最適な傾斜角度範囲で前後揺動させるなど、搬送ボディＷからの残存処理液Ｌの排出を良くするボディ種ごとの最適な傾動動作形態で搬送ボディＷを搬出移動させる。
【００７２】
・吹付式処理部での移動動作について
吹付式処理部については、処理部ごと及びボディ種ごとの設定合成移動パターンＰとして、具体的には（図８〜図９及び図１０参照）、
搬送機２２が保持する搬送ボディＷを噴出手段Ｎによる噴出流体Ｆの吹付処理域Ｓに搬入する搬入工程と、それに続き、その搬送ボディＷを吹付処理域Ｓ内で進行移動させる域内進行工程と、それに続き、その搬送ボディＷを吹付処理域Ｓから搬出する搬出工程との各工程の工程中及び工程間における搬送ボディＷの移動経路ｒと移動速度ｖと移動姿勢θとについて、
浸漬式処理部と同様、ボディ種ごとの移動経路変化パターンＰｒ（ｒ）と移動速度変化パターンＰｖ（ｖ）と移動姿勢変化パターンＰθ（θ）とを統括制御器ＣＣに設定してある。
【００７３】
そして、吹付式処理部のうち、ノズル等の噴出手段Ｎを横一列状態や横二列状態で吹付処理域Ｓの上部や側部に配置する吹付式処理部（例えば、電着純水水洗部１７、前処理純水水洗部１０の後半部、エアブロー部１８など一般に高圧の噴出流体Ｆを集中的に吹き付ける吹付式処理部）については、上記３つの変化パターンＰｒ，Ｐｖ，Ｐθの設定により、図８〜図９に示す如く、各搬送機２２が保持する搬送ボディＷのボディ種に応じたボディ種ごとの移動形態として、例えば次のｊ．〜ｍ．の如き移動形態で、各搬送機２２の搬送ボディＷを移動動作させる。
【００７４】
ｊ．前の処理部において各搬送機２２が保持する搬送ボディＷの袋構造部等に入り込んだ残存処理液Ｌ（又はＦ）の吹付処理域Ｓ側への排出（即ち、吹付処理域Ｓに装備した排液部への排出）を促すため、基本的には搬入工程において搬送ボディＷを前下がり移動姿勢θで吹付処理域Ｓに搬入移動させるが、この際の残存処理液Ｌ，Ｆの排出の良否がボディ種によって異なる。
【００７５】
このことに対し、搬入工程において上記残存処理液Ｌ，Ｆの吹付処理域Ｓ側への排出を良くするボディ種ごとの最適傾斜角度の前下がり移動姿勢θにした状態で搬送ボディＷを吹付処理域Ｓに搬入移動させる。
【００７６】
ｋ．域内進行工程において搬送ボディＷを吹付処理域Ｓにおいて単に水平移動経路でかつ水平移動姿勢で域内進行させた場合、噴出手段Ｎとそれら噴出手段Ｎによる噴出流体Ｆが吹き付けられる搬送ボディＷ上の被吹付部（ここでは、搬送ボディＷの域内進行に対する噴出手段Ｎの相対移動で搬送ボディＷ上をボディ進行方向とは逆向きに移動する各時点の被吹付部）との位置関係について、特に側面視で、搬送ボディＷの域内進行に伴い、噴出手段Ｎと被吹付部との距離ｄ（吹付距離）がボディ形状によって逐次変化し、また、噴出手段Ｎからの流体噴出向きに対する搬送ボディＷ上の被吹付部の向きα（吹付向き）もボディ形状によって逐次変化し、その上、搬送ボディＷのボディ種の異なりによるボディ形状の相違によって上記吹付距離ｄや吹付向きαの変化の形態がさらに異なるものなる。
【００７７】
このことに対し、域内進行工程において、側面視で、噴出手段Ｎと搬送ボディＷ上の被吹付部との距離ｄ（吹付距離）を一定に保ち、かつ、噴出手段Ｎからの流体噴出向きに対して搬送ボディＷ上の被吹付部が垂直姿勢となる吹付向き状態（α＝９０°）を保つボディ種ごとの最適な進行移動形態で搬送ボディＷを域内進行させる。
【００７８】
ｌ．また、噴出手段Ｎによる噴出流体Ｆの吹き付け処理を特に重点的に行なうべき特定被吹付部ｘ（例えば、隙間構造部など搬送ボディＷ上の固定部位である特定の被吹付部）について、その有無や存在位置がボディ種によって異なることに対し、域内進行工程において噴出手段Ｎによる噴出流体Ｆが搬送ボディＷ上の特定被吹付部ｘに吹き付けられるとき（即ち、図８の（ｂ）に示す如き状態のとき）、その特定被吹付部ｘを噴出手段Ｎに近付けて吹付距離ｄを短くするとともに、搬送ボディＷの域内進行を一時停止状態や一時徐行状態あるいは一時的に前後進切り換えを反復する状態にするなどして、特定被吹付部ｘに対し他部よりも時間的に長く噴出流体Ｆを吹き付けさせるボディ種ごとの最適な進行移動形態で、搬送ボディＷを域内進行させる。
【００７９】
なお、上記の如く特定被吹付部ｘを噴出手段Ｎに近付けたとき、噴出手段Ｎからの流体噴出向きに対して特定被吹付部ｘを垂直姿勢や所定の斜交姿勢する吹付向き調整も併せて行なうのが望ましい。
【００８０】
ｍ．搬送ボディＷの袋構造部等に入り込んだ吹き付け流体Ｆ（洗浄水）の排出を促すため基本的には搬出工程において各搬送機２２の搬送ボディＷを傾斜移動姿勢θにして搬出移動させるが、この際の入り込み流体Ｆ（入り込み洗浄水）の排出の良否がボディ種によって異なる。
【００８１】
このことに対し、搬出工程において各搬送機２２の搬送ボディＷを傾斜移動姿勢θにする傾動動作として、搬送ボディＷをボディ種ごとの最適傾斜角度の後下がり移動姿勢θにする、又は、最適傾斜角度の前下がり移動姿勢θにする、又は、最適な傾斜角度範囲で前後揺動させるなど、入り込み流体Ｆ（洗浄水）の排出を良くするボディ種ごとの最適な傾動動作形態で搬送ボディＷを搬出移動させる（エアブロー部１８については一般に、この搬出工程における傾動動作は不要である）。
【００８２】
なお、上記Ｊ．〜ｍ．の移動形態は夫々、電着純水水洗部１７、前処理純水水洗部１０の後半部、エアブロー部１８以外の吹付式処理部に適用することもできる。
【００８３】
また一方、吹付式処理部のうち、ノズル等の噴出手段Ｎを搬送ボディＷに対する群状の囲み配置形態で吹付処理域Ｓに多数配置した吹付式水洗部（即ち、比較的低圧の洗浄水Ｆを搬送ボディＷに対し広く群がり状に吹き付ける吹付式水洗部）については、上記３つの変化パターンＰｒ，Ｐｖ，Ｐθの設定により、図１０に示す如く、各搬送機２２が保持する搬送ボディＷのボディ種に応じたボディ種ごとの移動形態として、例えば次のｎ．〜ｐ．の如き移動形態で、各搬送機２２の搬送ボディＷを移動動作させる。
【００８４】
ｎ．前記の集中吹付式処理部と同様、基本的には搬入工程において各搬送機２２の搬送ボディＷを前下がり移動姿勢θで吹付処理域Ｓに搬入移動させるが、前の処理部において搬送ボディＷの袋構造部等に入り込んだ残存処理液Ｌ（又はＦ）の排出の良否がボディ種によって異なることに対し、搬入工程において上記残存処理液Ｌ，Ｆの吹付処理域Ｓ側への排出を良くするボディ種ごとの最適傾斜角度の前下がり移動姿勢θにした状態で搬送ボディＷを吹付処理域Ｓに搬入移動させる。
【００８５】
ｏ．また基本的には域内進行工程において各搬送機２２が保持する搬送ボディＷを前後揺動させながら域内進行させて吹き付け処理の処理効果（即ち、洗浄水の吹き付けによる洗浄効果）を高めるが、噴出手段Ｎによる噴出流体Ｆの吹き付け処理を特に重点的に行なうべき特定被吹付部ｘ（例えば、隙間構造部など）について、その有無や存在位置がボディ種によって異なることに対し、域内進行工程において噴出手段Ｎによる噴出流体Ｆが搬送ボディＷ上の特定被吹付部ｘに吹き付けられるとき搬送ボディＷの域内進行を一時停止状態や一時徐行状態あるいは一時的に前後進切り換えを反復する状態にするなどして、搬送ボディＷ上の特定被吹付部ｘに対し他部よりも時間的に長く噴出流体Ｆ（洗浄水）を吹き付けさせるボディ種ごとの最適な進行移動形態で、搬送ボディＷを域内進行させる。
【００８６】
ｐ．前記の集中吹付式処理部と同様、基本的には搬出工程において各搬送機２２の搬送ボディＷを傾斜移動姿勢θにして搬出移動させるが、搬送ボディＷの袋構造部等に入り込んだ吹き付け流体Ｆ（洗浄水）の排出の良否がボディ種によって異なることに対し、搬出工程において各搬送機２２の搬送ボディＷを傾斜移動姿勢θにする傾動動作として、搬送ボディＷをボディ種ごとの最適傾斜角度の後下がり移動姿勢θにする、又は、最適傾斜角度の前下がり移動姿勢θにする、又は、最適な傾斜角度範囲で前後揺動させるなど、入り込み流体Ｆ（洗浄水）の排出を良くするボディ種ごとの最適な傾動動作形態で搬送ボディＷを搬出移動させる。
【００８７】
・処理部どうしの間での移動動作関係について
浸漬式処理部のうち電着処理部１１では、処理槽Ｔ（電着槽）内の処理液Ｌ中における先行搬送ボディＷと後続搬送ボディＷとの間隔が小さいと、それら搬送ボディＷに対する電着処理の相互干渉に原因する処理品質の低下（いわゆるバイポーラ不良）が生じ易くなる。
【００８８】
このことに対し、電着処理部１１についての処理部ごと及びボディ種ごとの合成移動パターンＰ（Ｐｒ，Ｐｖ，Ｐθ）の設定と、他の浸漬式処理部である脱脂処理部３や化成処理部７についての処理部ごと及びボディ種ごとの合成移動パターンＰ（Ｐｒ，Ｐｖ，Ｐθ）の設定とにより、脱脂処理部３、化成処理部７、電着処理部１１の夫々における入出槽工程については、先行搬送ボディＷと後続搬送ボディＷとをそれらの接触干渉を確実に防止できる移動間隔ｅで移動させる。
【００８９】
そして、電着塗装部１１では、槽内進行工程１１において移動間隔ｅを拡大した移動形態で先行搬送ボディＷと後続搬送ボディＷ２２とを液中進行させ、逆に、脱脂処理部３や化成処理部７では、先行搬送ボディＷと後続搬送ボディＷとの接触干渉が生じない範囲において移動間隔ｅを縮小した状態で先行搬送ボディＷと後続搬送ボディＷとを液中進行させる。
【００９０】
つまり、このような移動間隔関係の移動形態を採ることにより、先行搬送ボディＷと後続搬送ボディＷとの接触干渉を確実に防止しながら、また、電着処理部１１でのいわゆるバイポーラ不良も一層確実に防止しながら、塗装設備全体の小型化を可能にする。
【００９１】
・その他の制御について
エアブロー部１８で水切り処理や予乾燥処理した搬送ボディＷは、炉内搬送用の搬送装置における搬送台車に移載して後続の予乾燥炉及び焼付け乾燥炉に順次搬送するが、この搬送ボディＷの移載処理、その移載処理に続き搬送ボディＷが無い空状態の搬送機２２をボディ受取部へ戻す還送処理、及び、ボディ受取部で次の搬送ボディＷを受け取るボディ受取処理の夫々についても、統括制御器ＣＣにより搬送機２２夫々の移動位置情報ｉに基づき移送用モータ３１と各搬送機２２に装備した昇降装置３２及びボディ姿勢変更装置６１とを制御することで自動的に行なうようにしてある。
【００９２】
なお、位置検出手段Ｉｓについては、搬送機２２の移動経路に沿って並置した搬送機検出センサの検出情報に基づき各搬送機２２の移動位置情報ｉを得る方式や、各搬送機２２の移動距離を計測する計測手段の計測情報に基づき各搬送機２２の移動位置情報ｉを得る方式、あるいは、監視カメラの撮像情報に基づき各搬送機２２の移動位置情報ｉを得る方式など、種々の方式のものを採用することができる。
【００９３】
また、ボディ種検出手段Ｂｓについても、搬送機２２に自動車ボディＷを保持させる段階ないしはその近傍段階でのボディ形状の検出や各自動車ボディＷに付けたタグの読み取りなどによりボディ種情報ｂを得る方式や、塗装システムの生産管理装置から生産計画情報の一部としてボディ種情報ｂを得る方式など、種々の方式のものを採用することができる。
【００９４】
他方、この塗装システムには、統括制御器ＣＣともに、シミュレート装置ＳＭを設けてあり、このシミュレート装置ＳＭは、各処理部１〜１８の構造に関するデータや処理内容に関するデータ、搬送機２２の移動特性に関するデータ、昇降装置３２及び姿勢変更装置６１の動作特性に関するデータ、並びに、塗装対象である自動車ボディＷのボディ種ごとの形状や構造に関するデータなどに基づき、塗装対象である各ボディ種の自動車ボディＷの夫々について、前記処理部ごと及びボディ種ごとの合成移動パターンＰ（具体的には処理部ごと及びボディ種ごとの前記３つの変化パターンＰｒ，Ｐｖ，Ｐθ）を種々変更したときの各処理部１〜１８での処理の処理過程及び処理結果（例えば、浸漬処理における槽内進行工程での搬送ボディＷに対する処理液Ｌの相対速度の大小関係など）をモニタ表示しながらシミュレートするものである。
【００９５】
そして、このシミュレート装置ＳＭは、処理品質の重み度合や処理能率の重み度合あるいは省エネルギ化の重み度合や運転コストの重み度合など、種々の基準要素も含めて設定される選択基準に従って、処理部相互の関係も考慮しながら、ボディ種ごとの最適な合成移動パターンＰ（Ｐｒ，Ｐｖ，Ｐθ）を各処理部１〜１８について自動的に選択する自動選択機能を備えるものにしてある。
【００９６】
また、このように自動選択した各処理部１〜１８についてのボディ種ごとの最適な合成移動パターンＰ（Ｐｒ，Ｐｖ，Ｐθ）をオペレータの承認操作を受けた上で統括制御器ＣＣに対し自動的に設定する自動設定機能も備えるものにしてある。
【００９７】
つまり、新設した塗装システムの運転に先立ち、あるいは、新しいボディ種の自動車ボディＷが塗装対象として加わるときや、いずれかの処理部を改造するときなど、オペレータは適時、このシミュレート装置ＳＭを用いて処理部ごと及びボディ種ごとの最適な合成移動パターンＰ（Ｐｒ，Ｐｖ，Ｐθ）を選択し、そして、選択した処理部ごと及びボディ種ごとの最適な合成移動パターンＰ（Ｐｒ，Ｐｖ，Ｐθ）を統括制御器ＣＣに設定することにより、各処理部１〜１８において、その最適な設定合成移動パターンＰ（Ｐｒ，Ｐｖ，Ｐθ）で、各搬送機２２の搬送ボディＷを移動動作させる。
【００９８】
以上、本実施形態の塗装システムにおいて、搬送装置Ｕ及び浸漬式処理部の処理槽Ｔは、被塗物Ｗ（自動車ボディ）を処理槽Ｔ内の処理液Ｌに浸漬させて処理液Ｌ中を進行移動させることで被塗物Ｗに所定の処理を施す塗装用の浸漬処理装置を構成する。
【００９９】
また、本実施形態の塗装システムでは浸漬式処理部での浸漬処理（特に槽内進行工程）について、被塗物Ｗの処理液Ｌ中での移動姿勢θを調整することで、処理槽Ｔ内における被塗物Ｗ周りの処理液Ｌの通過断面積を調整して被塗物Ｗに対する処理液Ｌの相対速度を調整するようにしてある。
【０１００】
そして、統括制御器ＣＣは、浸漬式処理部での浸漬処理（特に槽内進行工程）において、被塗物Ｗの種別情報（ボディ種情報ｂ）に基づき、搬送機２２に装備した被塗物動作手段（昇降装置３２及びボディ姿勢変更装置６１）を制御して、被塗物Ｗを搬送機２２に対し移動動作させることで、被塗物Ｗの処理液Ｌ中での移動姿勢θを被塗物種に応じた被塗物種ごとの設定最適移動姿勢（即ち、設定姿勢変化パターンＰθとして設定された最適移動姿勢）に調整する浸漬処理制御手段を構成する。
【０１０１】
また、シミュレート装置ＳＭは、浸漬式処理部での浸漬処理（特に槽内進行工程）について、各種別の被塗物Ｗを処理液Ｌ中において各移動姿勢θ（即ち、種々の移動姿勢変化パターンＰθ）で進行移動させたときの被塗物Ｗに対する処理液Ｌの相対速度の大小関係を自動的に演算する演算手段を構成する。
【０１０２】
〔別実施形態〕
処理液Ｌ中における被塗物Ｗの進行移動速度ｖは、浸漬処理制御手段ＣＣにより調整される被塗物Ｗの移動姿勢θなどに応じて調整するようにしてもよい。
【０１０３】
また、その場合、処理液Ｌ中における被塗物Ｗの移動姿勢θを設定最適移動姿勢に調整する姿勢調整機能とともに、処理液Ｌ中における被塗物Ｗの進行移動速度ｖを設定最適移動速度に自動調整するなどの速度調整機能を浸漬処理制御手段ＣＣに備えさせてもよい。
【０１０４】
本発明による塗装用浸漬処理装置の実施において、処理対象の被塗物は自動車ボディに限られるものではなく、自動車部品や鋼板類あるいは電気機器のケーシングや部品など、種々のものを処理対象の被塗物とすることができる。
【０１０５】
また、本発明による塗装用浸漬処理装置は電着塗装に限らず、種々の方式の塗装における各種目的の被塗物処理に適用することができる。
【産業上の利用可能性】
【０１０６】
本発明は、被塗物を処理槽内の処理液に浸漬させて処理液中を進行移動させることで被塗物に所定の処理を施す種々の処理目的の塗装用浸漬処理に適用することができる。
【符号の説明】
【０１０７】
Ｗ                  被塗物
Ｔ                  処理槽
Ｌ                  処理液
θ                  移動姿勢
２２                搬送機
２９，３０，３１    搬送機移動手段
３２，６１          被塗物動作手段
Ｐ（θ）            設定最適移動姿勢
ＣＣ                浸漬処理制御手段
ｖ                  移動速度
ｂ                  種別情報
ＳＭ                演算手段
【図１】
0005476652.tif 000002
【図２】
0005476652.tif 000003
【図３】
0005476652.tif 000004
【図４】
0005476652.tif 000005
【図５】
0005476652.tif 000006
【図６】
0005476652.tif 000007
【図７】
0005476652.tif 000008
【図８】
0005476652.tif 000009
【図９】
0005476652.tif 000010
【図１０】
0005476652.tif 000011